(57)【要約】      （修正有）【課題】寝かせた状態で搬送される平坦な物品のための、１つの計量セルのみを有したダイナミックスケールと、その制御方法を得る。【解決手段】ダイナミックスケールは、厚さ測定のための入口側の第１のアセンブリと、計量プレートに配置された搬送ベルトを有する搬送装置と、センサと、エンコーダと、幅センサによって物品の幅を判定するための第２のアセンブリと、排出ローラを有する出口側のテイクオフ装置と、制御ユニットとを備え、制御ユニットは、入口における第１のセンサＬＳ１と、計量プレートの出口における第２のセンサＬＳ２とに通信可能に接続されており、制御ユニットは、長さ測定および計量プレートに配置された搬送装置の搬送ベルトの駆動を開始し、第１の平坦な物品Ｇ１の搬送中に厚さ測定を開始しかつダイナミック計量プロセスを実施するように、プログラムされている。【選択図】図８
2018080055.tif 000002
【特許請求の範囲】
【請求項１】
ダイナミックスケールは、厚さ測定のための入口側の第１のアセンブリと、計量プレートに配置された搬送ベルトを有する搬送装置と、センサと、エンコーダと、幅センサによって物品の幅を判定するための第２のアセンブリと、排出ローラを有する出口側のテイクオフ装置と、前記アセンブリの制御のために前記アセンブリと通信するように接続された制御ユニットとを有し、該制御ユニットは、入口における第１のセンサ（Ｓ１）と、計量プレートの出口における第２のセンサ（Ｓ２）とを有しており、前記制御ユニットは以下のようにプログラムされており、
−前記第１のセンサ（Ｓ１）が第１の平坦な物品Ｇ１の前縁を検出すると、長さ測定と、前記計量プレートに配置された前記搬送装置の前記搬送ベルトの第１の搬送速度（Ｖ１）での駆動と、を開始し、
−前記第２のセンサ（Ｓ２）が前記計量プレートの出口において前記第１の平坦な物品（Ｇ１）の前縁を検出する限り、ダイナミック計量プロセスを開始および実行し、厚さ測定が終了され、
−有効な重量測定結果が存在するかどうかをチェックし、前記第１の平坦な物品（Ｇ１）の重量を判定し、有効な重量測定結果が存在するならば、前記第１の平坦な物品（Ｇ１）を第１の搬送速度（Ｖ１）で搬送方向ｘへ前記ダイナミックスケールの出口までさらに搬送し、
−計量プロセスが終了していないならば前記第１の平坦な物品（Ｇ１）の重量を判定し、前記第１の平坦な物品（Ｇ１）を第２の搬送速度（Ｖ２）で搬送方向ｘへ前記ダイナミックスケールの出口までさらに搬送し、前記第２の搬送速度（Ｖ２）は前記第１の搬送速度（Ｖ１）よりも遅く、
−前記平坦な物品の幅測定を行い、
−前記ダイナミックスケールのテイクオフ装置の入口における第３のセンサ（Ｓ３）が前記第１の平坦な物品（Ｇ１）の前縁を検出し、チェックが、有効な重量測定結果が存在しないことを示したならば、ダイナミック計量プロセス中に重量測定を終了させ、
−チェックが、有効な重量測定結果が存在することを示したならば、前記ダイナミックスケールの入口に次の平坦な物品（Ｇ２）を供給し、
−前記第１の搬送速度（Ｖ１）での前記計量ユニットの前記搬送ベルトの駆動をさらに制御し、第２のモータを第３の搬送速度（Ｖ３）で搬送方向ｘに作動させ、前記モータは、前記テイクオフ装置において前記平坦な物品（Ｇ１）を排出するために配置された排出ローラを駆動し、前記第３の搬送速度（Ｖ３）は前記第１の搬送速度（Ｖ１）よりも速く、
−ストップコマンドが与えられない場合は、最初に戻り（ｗ）、ルーチンを繰り返す。
【請求項２】
前記計量プレート（２５）は、案内壁（２５４）を有しており、寝かせた状態で搬送される前記平坦な物品（Ｇ）は、計量の間、デカルト座標系の搬送方向ｘに前記搬送装置を通って搬送され、前記ダイナミックスケールは、ｘ／ｙ平面に対して平行な供給デッキ（２４）と、接触圧機構（２８２）が設けられたテイクオフ装置（２８）とを有し、前記センサおよび前記モータは、前記ダイナミックスケールの前記制御ユニットに電気的に接続されており、前記テイクオフ装置を駆動するために第１のモータ（２５６）が設けられており、前記ダイナミックスケールの出口の近くに配置された前記テイクオフ装置を駆動するために第２のモータ（２８３）が設けられていることを特徴とする、請求項１記載のダイナミックスケール。
【請求項３】
前記計量プレート（２５）は、２つの非平行な側部を有する台形の輪郭を有しており、前記非平行な側部のうちの一方は、前記計量プレートの前記案内壁（２５４）に隣接しており、該案内壁とともに、長手方向縁部を形成しており、幅センサのためのカバー（２５５）は、搬送方向で前記計量プレート（２５）の後に続いており、第２のセンサ（Ｓ２）のための開口が前記カバー（２５５）に設けられており、前記センサ（Ｓ１）および（Ｓ３）のための開口が前記供給デッキ（２４）に設けられており、前記平坦な物品の３つの寸法を判定するための手段が、完全にまたは部分的に前記ダイナミックスケール内に配置されていることを特徴とする、請求項１から２まで記載のダイナミックスケール。
【請求項４】
前記台形の輪郭の２つの平行の側部のうちのそれぞれのより大きな側部は、物品の流れに関して入口側に配置された横方向縁部を形成しており、前記供給デッキ（２４）は、物品の流れに関して入口側における第１のサブセクション（Ｉ）と、物品の流れに関して出口側における第４のサブセクション（ＩＶ）とから成り、前記サブセクション（Ｉ）および（ＩＶ）は、第２のセクション（ＩＩ）および第３のセクション（ＩＩＩ）によって互いに分離されており、前記計量プレート（２５）は前記第２のセクション（ＩＩ）に配置されており、幅センサのためのカバー（２５５）は前記第３のセクション（ＩＩＩ）に取り付けられており、前記第２のモータ（２８３）によって駆動される前記テイクオフ装置の排出ローラ（２８１）は、前記供給デッキ（２４）の前記第４のサブセクション（ＩＶ）における開口を通ってｚ方向に突出しており、前記平坦な物品の３つの寸法のうちの２つを判定するための手段は、完全に前記ダイナミックスケール内に配置されており、前記平坦な物品の前記３つの寸法のうちの１つを判定するための手段のみが、部分的に前記ダイナミックスケール内に配置されていることを特徴とする、請求項１から３まで記載のダイナミックスケール。
【請求項５】
前記平坦な物品の長さを判定する手段と、前記平坦な物品の厚さを判定する手段とが、前記ダイナミックスケールの入口に設けられており、
−金属アングルプレート（２９１）が、前記計量プレートの前記案内壁（２５４）からｙ方向で所定の距離に配置されておりかつ前記ダイナミックスケールのシャーシ（２９）の平坦なフロアプレート（２９０）に取り付けられており、前記ダイナミックスケールの下側ハウジングシェル（２３）の後壁（２３２）における位置と、前記金属アングルプレート（２９１）のシート壁（２９２）との間に、最大シート壁距離（Ａ）が設けられており、前記シート壁（２９２）は上方へ曲げられており、
−カラー（２５４２）が、前記案内壁（２５４）の上縁からｙ方向に上方へ曲げられており、外縁（２５４３）が前記カラー（２５４２）に設けられており、
−前記カラーの前記外縁（２５４３）における、物品の流れに関して入口における角は、仮想接線（ｔ）から最大縁部距離（Ｂ）に設けられており、ｙ方向で最も遠い距離である後側ハウジング壁（２３２）の位置に配置されると考えられる接線は、搬送方向ｘに対して平行に延びており、
−整列壁（２０）が、デカルト座標系のｙ方向で、物品の流れに関して入口側において第１のサブセクション（Ｉ）の境界を定めておりかつ物品の流れに関して入口側において前記接線（ｔ）から所定の距離（Ｃ）に配置されており、
−整列壁（２１）が、物品の流れに関して入口側において、デカルト座標系のｙ方向で第４のサブセクション（ＩＶ）の境界を定めておりかつ物品の流れに関して出口側において前記接線ｔから所定の距離（Ｄ）に配置されており、Ａ＜Ｂ＜Ｃ≦Ｄが当該距離に当てはまり、
−第１のセンサ（Ｓ１）のための開口が、前記供給デッキ（２４）の前記第１のサブセクション（Ｉ）において、前記計量プレート（２５）の前記案内壁（２５４）にすぐ隣接して設けられており、
−第２のセンサ（Ｓ２）のための開口が前記カバー（２５５）に設けられており、第３のセンサ（Ｓ３）のための開口が、前記供給デッキ（２４）の前記第４のサブセクションに設けられており、前記第２のセンサ（Ｓ２）は、前記搬送方向ｘで前記第１のセンサ（Ｓ１）から第１の距離（Ｌ１）に配置されており、前記第３のセンサ（Ｓ３）は、前記第４のサブセクション（ＩＶ）において前記整列壁（２１）にすぐ隣接して、前記第２のセンサ（Ｓ２）から第２の距離（Ｌ２）に配置されており、
−前記テイクオフ装置（２８）は、シャーシ（２９）のフロアプレート（２９０）に配置されており、前記テイクオフ装置の排出ローラ（２８１）は、前記接触圧機構（２８２）の少なくとも１つの接触圧フィンガ（２８２１，２８２２）と向き合って配置されており、
−前記搬送装置の前記第１のモータ（２５６）は、前記計量プレート（２５）の下方のフレーム（２５７）に取り付けられており、前記計量プレート（２５）に配置された少なくとも１つの搬送ベルト（２５１，２５２，２５３）を駆動し、
−前記少なくとも１つの搬送ベルト（２５１，２５２，２５３）の第１の逸らせローラ（２５１１，２５２１，２５３１）の駆動軸（２５０１）および第２の逸らせローラ（２５１２，２５２２，２５３２）の被駆動軸（２５０２）は、ｙ方向に対して０．１°〜１．５°の鋭角で配置されており、
−前記排出ローラ（２８１）の駆動軸（２８０）は、前記ｙ方向に対して平行または０．１°〜１．５°の鋭角で配置されている
ことを特徴とする、請求項１から４まで記載のダイナミックスケール。
【請求項６】
前記第１のセンサ（Ｓ１）は、平坦な物品の長さを判定するための手段の構成部材であり、前記手段のこの構成部材は、前記ダイナミックスケール内に配置されていることを特徴とする、請求項１から５まで記載のダイナミックスケール。
【請求項７】
計数プロセスと、エンコーダパルスの計数との開始が、前記計量プレートに配置された前記搬送ベルトの駆動中に、前記第１のセンサ（Ｓ１）が前記第１の平坦な物品（Ｇ１）の前縁を検出した後に行われ、前記制御ユニットは、その後、前記平坦な物品が前記搬送経路（Ｔ）の経路セグメントに沿って搬送されながら、前記第１のセンサ（Ｓ）が計量プレートの入口において前記第１の平坦な物品（Ｇ１）の前記後縁を検出するまで、厚さ測定を開始および実施し、長さ測定が終了させられる、請求項１から６まで記載のダイナミックスケール。
【請求項８】
平坦な物品の長さを判定するための前記手段の少なくとも１つの付加的な構成部材が、前記ダイナミックスケールの外部に設けられていることを特徴とする、請求項１から６まで記載のダイナミックスケール。
【請求項９】
前記センサ（Ｓ１，Ｓ２，Ｓ３）は、透過光バリヤとして設計されていることを特徴とする、請求項１から６まで記載のダイナミックスケール。
【請求項１０】
−前記第１の光電バリヤ（ＬＳ１）の送信器／受信機モジュールは、保持プレート（２９６）において、前記計量プレート（２５）の前記搬送ベルトの前記第１の逸らせローラの直前の搬送経路（Ｔ）の始めに取り付けられており、
−第２の光電バリヤ（ＬＳ２）の送信器／受信機構成部材は、保持プレート（２９７２）において、前記計量プレート（２５）の前記搬送ベルトの前記逸らせローラの直後の搬送経路（Ｔ）に配置されており、
−前記第３の光電バリヤ（ＬＳ３）の送信器／受信機構成部材は、保持プレート（２９７３）において取り付けられておりかつ前記排出ローラ（２８１）の直前の搬送経路（Ｔ）に配置されている
ことを特徴とする、請求項１から６および９に記載のダイナミックスケール。
【請求項１１】
前記排出ローラ（２８１）は、滑り軸受（２８１１，２８１２）に支持された駆動軸（２８０）に確実に取り付けられており、前記排出ローラ（２８１）は、前記搬送ベルトのための逸らせローラの半径（ＲＵ）よりも大幅に大きくかつ前記排出ローラ（２８１）の前記駆動軸（２８０）の半径（Ｒｗ）よりも大きな外側半径（ＲＡ）を有しており、前記排出ローラ（２８１）の半径（ＲＡ）から前記排出ローラ（２９８１）の前記駆動軸（２８０）の半径（Ｒｗ）を引いた長さが、前記第３のセンサ（Ｓ３）のためのＵ字形に湾曲した保持プレート（２９７３）の配置を可能にする、前記排出ローラに対面する側における、物品の流れに関して下流の領域を規定していることを特徴とする、請求項１から６および９および１０記載のダイナミックスケール。
【請求項１２】
前記計量プレートの前記案内壁（２５４）からの第１の搬送ベルトの距離が、ｙ方向で前記計量プレートにおいて物品の流れに関して入口側において生じるように、前記搬送ベルト（２５１，２５２，２５３）が前記計量プレート（２５）に配置されており、前記第１の搬送ベルトの距離は、前記搬送方向ｘに対して平行にずらされた位置での前記案内壁（２５４）からの所定の距離として測定された第２の搬送ベルトの距離よりも大きいことを特徴とする、請求項１および２記載のダイナミックスケール。
【請求項１３】
前記計量されるダイナミックスケールの前記平坦な物品の厚さ測定のために第１のアセンブリ（３０）が設けられており、該第１のアセンブリ（３０）のマウンティングは、前記物品の流れに関して入口側にある前記計量プレート（２５）の角の近くに、前記カラー（２５４２）の前記外縁（２５４３）に取り付けられており、前記角は、前記接線（ｔ）から前記最大縁部距離（Ｂ）を有することを特徴とする、請求項５記載のダイナミックスケール。
【請求項１４】
前記搬送ベルト（２５１，２５２，２５３）の前記長手方向縁部は、前記計量プレート（２５）において、互いに平行にかつ前記案内壁（２５４）の前記カラー（２５４２）の前記縁部（２５４３）に対して平行に配置されていることを特徴とする、請求項１および１３記載のダイナミックスケール。
【請求項１５】
幅センサのためのカバー（２５５）は、前記計量プレートの前記フレーム（２５７）の下方の平行な平面に配置されており、前記計量プレートの出口側縁部は、搬送される長い平坦な物品が第２のサブセクション（ＩＩ）から出るときに供給デッキの第３のサブセクション（ＩＩＩ）に接触しないような傾斜で、平坦なフロアプレート（２９０）に対して搬送方向で徐々に上方へ上昇していることを特徴とする、請求項１，３および５記載のダイナミックスケール。
【請求項１６】
幅センサ（ＬＳＢ＊）のためのカバー（２５５*）は、フロアプレート（２９０＊）に取り付けられておりかつ前記計量プレートの下方の平行な平面に配置されており、前記計量プレートの出口側縁部は、搬送される長い平坦な物品が第２のサブセクション（ＩＩ）から出るときに供給デッキの第３のサブセクション（ＩＩＩ）に接触しないような傾斜で、平坦なフロアプレート（２９０）に対して搬送方向で徐々に上方へ上昇していることを特徴とする、請求項１および３記載のダイナミックスケール。
【請求項１７】
ダイナミックスケールの制御方法であって、以下のステップを含む；
ａ）第１のセンサ（Ｓ１）が第１の平坦な物品（Ｇ１）の前縁を検出すると、制御ユニットを介して長さ測定を開始し、この開始に続いて、計量プレートに配置された搬送装置の搬送ベルトの第１の搬送速度（Ｖ１）での駆動を開始する
ｂ）第２のセンサ（Ｓ２）が前記計量プレートの出口において前記第１の平坦な物品（Ｇ１）の前記前縁を検出するまでダイナミック計量プロセスを開始させて、厚さ測定を終了する
ｃ）有効な重量測定結果が存在するかどうかをチェックする
ｄ）前記第１の平坦な物品（Ｇ１）の重量を判定し、有効な重量測定結果が存在するならば、前記第１の平坦な物品（Ｇ１）を前記第１の搬送速度（Ｖ１）で搬送方向ｘへ前記ダイナミックスケールの前記出口までさらに搬送する
ｅ）計量プロセスが終了していないならば、前記第１の平坦な物品（Ｇ１）の重量を判定し、前記第１の平坦な物品（Ｇ１）を第２の搬送速度（Ｖ２）で前記搬送方向ｘへ前記ダイナミックスケールの前記出口までさらに搬送し、前記第２の搬送速度（Ｖ２）は前記第１の搬送速度（Ｖ１）よりも遅い
ｆ）前記平坦な物品の幅測定を行う
ｇ）前記ダイナミックスケールのテイクオフ装置の入口における第３のセンサ（Ｓ３）が前記第１の平坦な物品（Ｇ１）の前縁を検出し、チェックが、有効な重量測定結果が存在しないことを示したならば、前記ダイナミック計量プロセス中に重量測定を終了させる
ｈ）チェックが、有効な重量測定結果が存在することを示したならば、前記ダイナミックスケールの入口に次の平坦な物品（Ｇ２）を供給する
ｉ）計量ユニットをさらに制御し、第２のモータを第３の搬送速度で搬送方向ｘに作動させ、前記モータは、前記テイクオフ装置において前記平坦な物品（Ｇ１）を排出するために配置された排出ローラを駆動し、前記第３の搬送速度（Ｖ３）は前記第１の搬送速度（Ｖ１）よりも速い
ｋ）ストップコマンドが与えられない場合は、最初に戻り（ｗ）、ルーチン（１００）を繰り返す、
ダイナミックスケールの制御方法。
【請求項１８】
前記センサ（Ｓ１，Ｓ２，Ｓ３）は、光電バリヤ（ＬＳ１，ＬＳ２，ＬＳ３）として設計されており、計数プロセスと、エンコーダパルスの計数との開始が、前記計量プレートに配置された前記搬送ベルトの駆動中に、前記第１の光電バリヤ（ＬＳ１）が前記第１の平坦な物品（Ｇ１）の前縁を検出した後、前記平坦な物品が前記搬送経路（Ｔ）の経路セグメントに沿って搬送されながら、前記第１の光電バリヤ（ＬＳ１）が前記計量プレートの入口において前記第１の平坦な物品（Ｇ１）の前記後縁を検出するまで、行われ、長さ測定は前記経路セグメントの間に終了させられることを特徴とする、請求項１７記載の制御方法。
【発明の詳細な説明】
【技術分野】
【０００１】
本発明は、請求項１の前提部に記載の寝かせた状態で搬送される平坦な物品のためのダイナミックスケールおよび請求項１７の前提部に記載のダイナミックスケールの制御方法に関する。寝かせた状態で搬送される平坦な物品は、例えば、封書または葉書などの郵便物である。このようなダイナミックスケールは、例えばフランキングシステムの郵便物ルートのモジュール式ステーションとして、物品処理システムにおいて使用される。
【０００２】
フランキングシステムの郵便物ルートは、通常、直列に個々に配置された複数の郵便物処理ステーションから成る。配置ステーションは、個別化ステーションの上流において、すなわち、しばしば郵便物ルートの出発点に設置されており、積重ねを個別化する個別化ステーションにおいて、個々のまたは積み重ねられた郵便物の配置のために機能する。個別化された郵便物は、ダイナミックスケールを介してフランキングマシンへ供給され、次いで、トレーステーションに蓄積される。様々な異なるフォーマットを有する平坦な物品の処理の場合、積重ねは、最適には、均一な平坦な物品を含むべきであるが、２０％までのフォーマットのずれはまだ許容できる。上記で積重ねが説明される場合、それが意味するのは、個別化することができる手紙の積重ね、葉書の積重ねおよびその他の郵便物の積重ねであるが、異なる積み重ねられた平坦な物品も排除されるべきではない。
【０００３】
米国では、８．５インチ×１１インチ（２１．５９ｃｍ×２７．９４ｃｍ）の手紙、８．５インチ×１４インチ（２１．５９ｃｍ×３５．５６ｃｍ）の手紙、１４と８分の７インチ×１１．６９インチ（３７．８ｃｍ×２９．６９ｃｍ）の手紙などの標準的な“手紙”のフォーマットが処理される。
【０００４】
特にドイツでは、Ｂ４（２５．０ｃｍ×３５．３ｃｍ）、Ｂ５（１７．６ｃｍ×２５．０ｃｍ）、Ｂ６（１２．５ｃｍ×１７．６ｃｍ）およびＣ４（２２．９ｃｍ×３２．４ｃｍ）、Ｃ５（１６．２ｃｍ×２２．９ｃｍ）、Ｃ６（１１．４ｃｍ×１６．２ｃｍ）のフォーマットが典型的である。ドイツの紙のフォーマットのサイズは、既に、ＤＩＮ規格ＤＩＮ４７６においてドイツ規格協会（ＤＩＮ）によって１９２２年に確立された。
【０００５】
Jetmail（登録商標）フランキングシステムのダイナミックスケールは、既に従来公知である（欧州特許第９７４８１９号明細書（EP 974 819 B1））。計量される手紙は、十分に正確でかつ誤りのない重量測定を達成するために計量ユニットに完全にかつ単独で配置されるべきである。これにより、計量ユニットの長さは、搬送速度、計量される最長の手紙および付加的な測定ルートによって決定される。しかしながら、計量される最長の手紙に相当するＢ４手紙フォーマットは、大きなギャップを必要とする。したがって、標準的な手紙の間のギャップが大きくなり、高い手紙スループットを達成することができない。しかしながら、つまり、５０ｌｐｍ（手紙毎分）のみが達成される。したがって、スループットは、標準的な手紙に向けられる。なぜならば、ギャップがより小さいからである。標準的な手紙は、（９０ｍｍ〜１２５ｍｍ×１４０ｍｍ〜２３５ｍｍ）のフォーマットを有しかつ郵便量の最大割合を占める、Deutsche Post AGの手紙である。以下の説明で“標準的な手紙”という表現によって理解されるべきものは、Ｃ６ロング（長さが２３５ｍｍ）およびＵＳ１０（長さが２４１ｍｍ）のフォーマットである。スループットは、実際には、理論的に、ダイナミックスケールの対応して作動させられる搬送ユニットを介して手紙の搬送速度を高めることによってさらに高めることができる。すなわち、搬送速度は、全体のフランキングシステムの他の郵便物処理ステーションに適応させられなければならない。フランキングシステム全体の複数のステーションまたはモジュールがこれに関して改造される必要があるとすると不都合である。
【０００６】
Centormail（登録商標）フランキングシステムのダイナミックスケール（独国特許第１０２０１１１００１７６号明細書（DE 10 2011 100 176 B4））は、カスケード状に配置された２つの計量ユニットを有し、これらの計量ユニットを通じて、縁部において立った状態の手紙が６８０ｍｍ／秒の搬送速度で通過する。したがって、標準的な手紙を仮定すると、９０ｌｐｍまでが達成される。さらに、全ての付加的な手紙フォーマットがダイナミックに処理されてもよい。しかしながら、材料および財政的コストが比較的大きくなる。
【０００７】
米国特許第５９９０４２２号明細書（US 5,990,422）から、ダイナミックスケールが既に公知であり、このダイナミックスケールは、相前後して直列に配置された複数の個々のコンベヤスケールから成り、コンベヤスケールには、重量測定に加えて少なくとも１つの寸法測定を付加的に実施するためにセンサが配置されている。それぞれの物品の長さは、コンベヤスケールの間に配置されたセンサによって測定される。しかしながら、センサおよびコンベヤスケールの数と、ユニット負荷の長さに依存する手間のかかる制御方法とは、コストに関して不利である。また、ダイナミックスケールの入口における平坦な物品が、整列壁からより大きな距離において供給されることは珍しくない。前記ダイナミックスケールの出口において平坦な物品が整列壁からより小さな距離にあることをダイナミックスケールによって保証することができない。
【０００８】
米国特許第８４６６３８０号明細書（US 8,466,380 B2）によれば、ダイナミックスケールは、寝かせた状態で搬送される物品を測定する装置として設計されている。装置は、コンベヤ部分と、複数の測定部分と、判定部分とを有する。コンベヤ部分は、複数のコンベヤ装置を有しており、コンベヤ装置は、ダイナミックスケールのコンベヤスケールへ連続して供給される物品のために直列に相前後して配置されており、前記コンベヤスケールは一列に配置されている。複数の測定部分は、ダイナミックスケールの搬送部分によって連続して搬送されるそれぞれの物品の重量または寸法を測定する。判定部分は、複数の測定部分による測定値に基づいてそれぞれの物品の重量または寸法を判定する。それぞれの物品の寸法は、複数のセンサによって測定され、これらのセンサは、コンベヤスケールの間のポータルフレームにまたは互いに直交する３つの方向で所定の間隔を置いて配置されている。長さ測定センサの複数のセンサは、搬送方向で第１のコンベヤ計量ユニットの最後のセクションと第２のコンベヤ計量ユニットの第１のセクションとの間に配置されたポータルフレームの横方向部分に配置されている。幅センサは、搬送方向に対して横方向に配置されたポータルフレームの水平横方向部分において設計されている。幅センサは、搬送方向に直交する方向で、搬送される各物品の幅を検出するために、発光エレメントと向かい合って配置された光センサエレメントを有する。厚さセンサの複数の発光エレメントは、ポータルフレームの第１の鉛直方向横方向エレメントに配置されているのに対し、光センサエレメントは、前記第１の鉛直方向横方向エレメントと向かい合って、ポータルフレームの異なる鉛直方向横方向エレメントに配置されている。発光エレメントおよび光センサエレメントは、第１および第２のコンベヤ計量ユニットのコンベヤ装置の表面の近くから鉛直方向に配置されている。多くのコンベヤ計量ユニットが必要であるので、このような設計は、スペースの観点からコストがかかり、小さなハウジングには適合しないことが明らかである。
【０００９】
独国特許出願公開第１０２０１０００９４３１号明細書（DE 102010009431 A1）から、計量のために有効な短縮された長さを有する計量ユニットに加え、既に、封筒に入った手紙などの、縁部において立っているユニット負荷のための切換え可能なテイクオフ装置を有する、高速ダイナミックスケールおよび高速ダイナミックスケールを制御する方法が公知である。ユニット負荷の位置を判定するために５つのセンサが制御ユニットによってポーリングされ、３つのモータが作動させられる。計量ユニットは、計量セルと、搬送機構を駆動するための第１のモータを有する搬送機構とから成り、搬送機構は計量セルにモータとともに配置されており、計量セルにはプレロードが負荷されており、計量ユニットの始まりにおいて搬送機構の第１の逸らせローラの軸線を横切って配置された第１のセンサを有し、制御ユニットに第１の信号を送信し、この信号は、ユニット負荷のための計量プロセスを開始する。第２のセンサは、搬送方向で、計量ユニットの中央の近くの位置に配置されており、制御ユニットに第２の信号を送信し、この信号は、ユニット負荷に続くユニット負荷が供給されてもよいという通信を生ぜしめる。第２のセンサの位置は、第１の逸らせローラの軸線から距離ｄ１に配置されており、この距離ｄ１は、最も短い手紙の長さＬＢminに安全余裕度を加えたものに相当する。連続するユニット負荷の間の距離は、したがって、計量ユニットの長さＬｗを短縮することによって短縮されてもよい。アクチュエータまたは第２のモータは、切換え可能なテイクオフ装置を開閉するために機能する。第３のモータは、切換え可能なテイクオフ装置内で手紙の搬送を行う。適用可能であるならば、切換え可能なテイクオフ装置の接続および切断のために第４のモータが設けられている。搬送機構の第２の逸らせローラの軸線は、搬送方向で第２のセンサから距離ｄ２に配置されている。第３のセンサは、切換え可能なテイクオフ装置の前方において、第２の逸らせローラの軸線から距離ｄ３に配置されている。第４のセンサおよびアクチュエータおよび／またはモータは、切換え可能なテイクオフ装置に配置されている。これにより、最も短いユニット負荷および最も長いユニット負荷の両方が、計量ユニットから取り出され、さらに搬送される。テイクオフ装置は、前記ユニット負荷の前縁がテイクオフ装置の入口における第４のセンサに達したときにユニット負荷を挟むように付加的に作動させられ、したがって計量プロセスは既に終了している。挟まれたユニット負荷は、テイクオフ装置から搬送方向へ搬出される。さらに、第４のセンサの後の第５の距離における第５のセンサは、テイクオフ装置において、計量ユニットの下流に設けられてもよい。方法は、次いで、ａ）計量プロセスが終了していない場合のテイクオフ装置の付加的な作動、ｂ）スケールにおけるユニット負荷の搬送を停止すること、ｃ）ユニット負荷を再び計量ユニットへ搬送すること、ｄ）ユニット負荷の静的計量、ｅ）ユニット負荷を排出するための計量ユニットおよびテイクオフ装置のさらなる制御、をも含む。切換え可能なテイクオフ装置の比較的複雑な設計およびスケールにおけるユニット負荷の搬送が停止させられた場合のダイナミックスケールの複雑な作動は、不利である。これによって望ましくない振動が生じ、ユニット負荷を再び計量ユニットへ搬送する際、ユニット負荷のその後の静的計量の前およびモータの再始動による計量ユニットのさらなる制御の場合、望ましくない振動が生じ、これは、スケールに影響しかつ／または少なくとも計量プロセスを延長させる。
【００１０】
したがって、課題は、前記欠点を有さない、１つの計量セルのみを有しかつ寝かせた状態で搬送される平坦な物品のためのテイクオフ装置を有するダイナミックスケールと、制御方法を得ることである。ダイナミックスケールは、単純で費用対効果の高い設計であるべきである。ダイナミックスケールの制御を可能にするセンサおよびモータの数は最小限に減じられるべきである。さらに、スケールの入口および出口における付加的なセンサのための単純なマウントが開発されるべきであり、これは、少なくとも１つの寸法測定を可能にする。
【００１１】
ダイナミックスケールの複雑な制御方法を回避するために、特に標準的な手紙、例えばＵＳ１０フォーマットの場合ならびにドイツにおけるDeutsche Post AGの標準的な手紙およびコンパクトな手紙の場合、９０ｌｐｍ（手紙毎分）の高いスループットが、５３０ｍｍ／秒の搬送速度で達成されるべきである。単純で同一の制御方法が、１４０ｍｍの長さを有する葉書から３５３ｍｍの長さを有するＢ４フォーマット（判型）までの全ての手紙フォーマットのためにおよび様々な異なる手紙厚さのために、達成されるべきである。
【００１２】
この課題は、請求項１の前提部に記載のダイナミックスケールの特徴および請求項１７の前提部に記載のダイナミックスケールの制御方法によって達成される。
【００１３】
ダイナミックスケールは、厚さ測定のための入口側の第１のアセンブリと、計量プレートに配置された搬送ベルトを有する搬送装置と、センサとしての光電バリヤと、エンコーダと、幅センサによって物品の幅を判定するための第２のアセンブリと、排出ローラを有する出口側のテイクオフ装置と、前記アセンブリの制御のために前記アセンブリと通信するように接続された制御ユニットとを有し、該制御ユニットは、入口における第１のセンサＳ１と、計量プレートの出口における第２のセンサＳ２とを有しており、前記制御ユニットは以下のようにプログラムされており、
−長さ測定と、計量プレートに配置された搬送装置の搬送ベルトの第１の搬送速度Ｖ１での駆動とを開始し、
−第２のセンサＳ２が計量プレートの出口において第１の平坦な物品Ｇ１の前縁を検出する限り、ダイナミック計量プロセスを開始および実行し、厚さ測定が終了され、
−有効な重量測定結果が存在するかどうかをチェックし、第１の平坦な物品Ｇ１の重量を判定し、有効な重量測定結果が存在するならば、前記第１の平坦な物品Ｇ１を第１の搬送速度Ｖ１で搬送方向ｘへダイナミックスケールの出口までさらに搬送し、
−計量プロセスが終了していない場合に第１の平坦な物品Ｇ１の重量を判定し、第１の平坦な物品Ｇ１を第２の搬送速度Ｖ２で搬送方向ｘへダイナミックスケールの出口までさらに搬送し、第２の搬送速度Ｖ２は第１の搬送速度Ｖ１よりも遅く、
−平坦な物品の幅測定を行い、
−ダイナミックスケールのテイクオフ装置の入口における第３のセンサＳ３が第１の平坦な物品Ｇ１の前縁を検出し、チェックが、有効な重量測定結果が存在しないことを示した場合、ダイナミック計量プロセス中に重量測定の終了を開始し、
−チェックが、有効な重量測定結果が存在することを示した場合、ダイナミックスケールの入口に次の平坦な物品Ｇ２を供給し、
−第１の搬送速度Ｖ１での計量ユニットの搬送ベルトの駆動をさらに制御し、第２のモータを第３の搬送速度で搬送方向ｘに作動させ、モータは、テイクオフ装置において平坦な物品Ｇ１を排出するために配置された排出ローラを駆動し、第３の搬送速度Ｖ３は第１の搬送速度Ｖ１よりも速く、
−ストップコマンドが与えられない場合は、最初に戻り（ｗ）、ルーチンを繰り返す。
【００１４】
ダイナミックスケールの制御ユニットは、平坦な物品の長さを判定するための手段の複数のモジュールのうちの１つである。長さ測定の始めに、計数プロセスと、エンコーダパルスの計数との開始が、搬送ベルトの駆動中に、第１のセンサＳ１が第１の平坦な物品Ｇ１の前縁を検出した後に行われ、制御ユニットは、その後、平坦な物品が搬送経路Ｔの経路セグメントに沿って搬送されながら、第１のセンサＳ１が計量プレートの入口において第１の平坦な物品Ｇ１の後縁を検出するまで、厚さ測定を開始および実施し、長さ測定が終了させられる。
【００１５】
第１のセンサＳ１が、平坦な物品の長さを判定するための手段の構成部材であり、手段のこの構成部材はダイナミックスケール内に配置されていることが提供される。しかしながら、したがって、前記手段の少なくとも１つの付加的な構成部材がダイナミックスケールの外側に設けられることが排除されるべきではない。
【００１６】
さらに、センサＳ１，Ｓ２，Ｓ３，．．．が透過光バリヤとして設計されていることが提供される。しかしながら、これにより、透過光バリヤとして設計されていない少なくとも１つの付加的なセンサが設けられることが排除されるべきではない。
【００１７】
ダイナミックスケールの制御方法は、以下のステップを含む：
ａ）長さ測定が制御ユニットによって開始され、この後、計量プレートに配置された搬送装置の搬送ベルトの駆動が第１の搬送速度Ｖ１で開始される。
ｂ）第２の光電バリヤＬＳ２が計量プレートの出口において第１の平坦な物品Ｇ１の前縁を検出するまでダイナミック計量プロセスを開始させて、厚さ測定を終了する。
ｃ）有効な重量測定結果が存在するかどうかをチェックする。
ｄ）第１の平坦な物品Ｇ１の重量を判定し、有効な重量測定結果が存在するならば、第１の平坦な物品Ｇ１を第１の搬送速度Ｖ１で搬送方向ｘへダイナミックスケールの出口までさらに搬送する。
ｅ）計量プロセスが終了していない場合に第１の平坦な物品Ｇ１の重量を判定し、第１の平坦な物品Ｇ１を第２の搬送速度Ｖ２で搬送方向ｘへダイナミックスケールの出口までさらに搬送し、第２の搬送速度Ｖ２は第１の搬送速度Ｖ１よりも遅い。
ｆ）平坦な物品の幅測定を行う。
ｇ）ダイナミックスケールのテイクオフ装置の入口における第３の光電バリヤＬＳ３が第１の平坦な物品Ｇ１の前縁を検出し、チェックが、有効な重量測定結果が存在しないことを示した場合、ダイナミック計量プロセス中に重量測定を終了させる。
ｈ）チェックが、有効な重量測定結果が存在することを示した場合、ダイナミックスケールの入口に次の平坦な物品Ｇ２を供給する。
ｉ）第１の搬送速度Ｖ１での計量ユニットの搬送ベルトの駆動をさらに制御し、第２のモータを第３の搬送速度で搬送方向ｘに作動させ、モータは、テイクオフ装置において平坦な物品Ｇ１を排出するために配置された排出ローラを駆動し、第３の搬送速度Ｖ３は第１の搬送速度Ｖ１よりも速い。
ｋ）ストップコマンドが与えられない場合は、最初に戻り（ｗ）、ルーチンを繰り返す。
【００１８】
ダイナミックスケールの計量プレートは案内壁を有し、寝かせた状態の平坦な物品のための搬送装置と、供給デッキと、出口側テイクオフ装置とを備える。供給デッキは、搬送方向で一列に互いに隣接する４つのサブセクションに分割されている。供給デッキの第１のサブセクションは、ダイナミックスケールの入口領域に配置されている。供給デッキの中央の第２のサブセクションにおける計量プレートは、１つの計量セルにおける負荷として配置されている。供給デッキの第２のサブセクションにおける計量プレート長さは、標準的なフォーマットを有する平坦な物品のために最適化されており、これにより、このために、最適に小さな間隙が平坦な物品の間に形成され、毎分の平坦な物品の最大スループットが達成される。幅センサのためのカバーが、中央の第３のサブセクションにおいて続く。２つの中央のサブセクションは一緒に、より長い平坦な物品、例えばＢ４フォーマットまでの長いフォーマットの物品のダイナミック処理を可能にし、第３のサブセクションは、長い平坦な物品（例えばＢ４フォーマットを有する物品）が第２のサブセクションから出るときに第３のサブセクションに接触しないように設計されている。排出ローラおよび少なくとも１つの接触圧フィンガは、ダイナミックスケールの出口の近くに配置された単純なテイクオフ装置を形成している。テイクオフ装置は、ダイナミックスケールのシャーシのフロアプレートに配置されている。ダイナミックスケールの計量プレートは、２つの平行でない側部を有する台形の輪郭を有しており、平行でない側部のうちの一方は、計量プレートの案内壁に当接し、長手方向縁部を形成している。台形の輪郭の２つの平行な側部のうちのそれぞれの大きいほうの側部は、計量プレートの横方向縁部を形成しており、物品の流れに関して、ダイナミックスケールの入口側に配置されている。金属角度プレートがシャーシの平坦なフロアプレートに、デカルト座標系のｙ方向で計量プレートの案内壁から所定の距離に取り付けられており、これにより、ダイナミックスケールの下側ハウジングシェルの後壁における位置と、上方へ角度づけられた金属角度プレートのプレート壁との間に、最大プレート壁距離Ａが存在することが提供される。ｙ方向でダイナミックスケールの後側ハウジング壁の最も遠い位置に当接する仮想接線が考えられる。物品の流れに関して入口側における横方向縁部と、計量プレートの長手方向縁部との間の頂点は、仮想接線から最大縁部距離Ｂに配置されている。加えて、整列壁は、ｙ方向で、物品の流れに関して入口側におけるダイナミックスケールの供給デッキの第１のサブセクションの境界を定めており、物品の流れに関して入口側において接線から所定の距離Ｃに配置されていることが提供される。付加的な整列壁は、物品の流れに関して入口側において、デカルト座標系のｙ方向で供給デッキ第４のサブセクションの境界を定めておりかつ物品の流れに関して出口側において接線から所定の距離Ｄに配置されており、Ａ＜Ｂ＜Ｃ≦Ｄが当該距離に当てはまる。
【００１９】
ダイナミックスケールは、作動信号を受け取りかつセンサ信号を送信するためにダイナミックスケールの制御ユニットと電気的に接続された３つのセンサと、テイクオフ装置におけるモータと、計量プレートの下方のフレームに配置されたモータとを有しており、モータは、ダイナミックスケールの制御方法の制御信号を受け取るためにダイナミックスケールの制御ユニットと電気的に接続されている。供給デッキは、第１および第３のセンサのための開口を有する。第２のセンサは、計量プレートの出口側横方向縁部の後に、搬送方向ｘで第１のセンサから第１の距離に配置されており、第３のセンサは、スケールの出口において整列壁にすぐ隣接してかつ搬送方向ｘで第２のセンサから第２の距離に配置されており、第１の距離は第２の距離よりも大きいことが提供される。
【００２０】
平坦な物品の３つの寸法を判定する手段も完全にまたは部分的にダイナミックスケール内に配置されていることが提供される。好適には、平坦な物品の３つの寸法のうちの１つを判定するための１つの手段のみが部分的にダイナミックスケールに配置されている。平坦な物品の残りの２つの寸法を判定するための他の手段は、完全にダイナミックスケールに配置されている。好適な典型的な実施の形態では、第１のセンサは、同時に、計量される平坦な物品の長さを判定するための手段の構成部材である。前記手段の別の構成部材は、例えば自動供給ステーションにおいて、搬送経路におけるダイナミックスケールの前に配置されたステーションに配置された（その形式は示されていない）外部センサである。ダイナミックスケールの制御ユニットのマイクロプロセッサは、計量される平坦な物品の長さを判定するための第１の手段の付加的な構成部材である。物品の長さを判定するための第１の手段のマウンティングと、物品の幅を判定するための第２のモジュールのマウンティングとが、フロアプレートに配置されている。平坦な物品の厚さを判定するための第１のモジュールのマウンティングが、計量プレートに配置されている。第１のセンサのためのマウンティングは、ダイナミックスケールのシャーシに計量プレートの入口の直前において取り付けられており、平坦な物品の前縁が第１のセンサに到達すると第１のセンサが信号を出力し、第１の信号は、ダイナミックスケールの作動のための始動信号を形成することが提供される。
【００２１】
加えて、第１のモジュールの厚さセンサのためのマウンティングが、計量プレートの入口側横方向縁部の直後に、前記計量プレートの案内壁の後側に取り付けられており、ダイナミックスケールの第２のセンサのためのマウンティングが、ダイナミックスケールのシャーシにおける計量プレートの出口側横方向縁部の後に取り付けられており、平坦な物品の前縁が第２のセンサに到達すると、第２のセンサが信号を送信することが提供される。
【００２２】
さらに、第２のモジュールの幅センサのためのマウンティングが、幅センサのカバーの下方で、搬送方向で、計量プレートの出口側横方向縁部の直後に取り付けられており、カバーは、計量プレートに取り付けられており、同様に、計量セルを負荷することが提供される。カバーは、幅センサのための窓を有する。物品流れに関して入口側におけるカバーの縁部は、物品流れに関して出口側におけるカバーの縁部よりも深く配置されている。計量プレートの下流の幅センサのマウンティングは、ダイナミックスケールのシャーシに取り付けられている。第３のセンサは、搬送方向で幅センサの下流の搬送経路内へ、物品流れに関して出口側におけるカバーの縁部の直後に、突出している。第３のセンサのためのマウンティングは、ダイナミックスケールのシャーシにおいて、テイクオフ装置の排出ローラの軸の直前に取り付けられている。テイクオフ装置の排出ローラは、排出ローラが取り付けられている軸の半径よりも４〜６倍大きな半径を有する。第３のセンサは、好適に排出ローラの縁部において、排出ローラの半径と軸の半径との間で、軸に隣接して、計量プレートに最も近く配置された領域に配置されている。
【００２３】
発明の有利な発展形は、従属請求項において特徴が示されておりまたは図面を用いて発明の好適な実施の形態の説明とともに以下に詳細に示されている。
【図面の簡単な説明】
【００２４】
【図１】公知の物品処理システムのステーションの配列を単純化して概略的に示す平面図である。
【図２】寝かせた状態で配置された平坦な物品のためのダイナミックスケールを右前上方から見た斜視図である。
【図３】ハウジングを省略したダイナミックスケールの平面図である。
【図４ａ】始動前の第１の作動段階におけるダイナミックスケールの搬送装置を前方から見た単純化した概略図である。
【図４ｂ】幅センサのための択一的なカバーを備えるダイナミックスケールの搬送装置の単純化した概略図である。
【図５】ダイナミックスケールのテイクオフ装置を右前上方から見た斜視図である。
【図６】ダイナミックスケールの計量セルによる平坦な物品の計量の開始時の第２の作動段階における搬送装置を前方から見た単純化した概略図である。
【図７】ダイナミックスケールの計量セルによる平坦な物品の計量の終了時の第３の段階における搬送装置を前方から見た単純化した概略図である。
【図８】ダイナミックスケールの計量セルによる計量の終了後の平坦な物品の排出前の第４の段階における搬送装置を前方から見た単純化した概略図である。
【図９】ダイナミックスケールからの計量された平坦な物品の排出時の第５の段階における搬送装置を前方から見た単純化した概略図である。
【図１０】ダイナミックスケールによって計量される平坦な物品の厚さ測定のための第１のモジュールを前方から見た斜視図である。
【図１１】ダイナミックスケールによって計量される平坦な物品の厚さ測定の間の、第１の段階と第２の段階との間の段階における、第１のモジュールの詳細を前方から見た斜視図である。
【図１２】単純化した概略的なワークフロープランである。
【００２５】
図１は、公知の物品処理システムのステーションの配列を単純化して概略的に示す平面図を示している。平坦な物品Ｇは、搬送経路Ｔに沿って搬送され、物品処理システムの複数のステーションを横断する。順次搬送される複数の平坦な物品は、物品の流れとも呼ばれる。第１のステーション１は、第２のステーション２およびダイナミックスケール（ＤＳ）に先行しており、物品の流れに関してこれらの上流にある。ダイナミックスケールの計量プレート２５は、２つの平行でない側部を有する台形の輪郭を有しており、平行でない側部のうちの一方は、計量プレートの案内壁２５４に当接し、長手方向縁部を形成している。台形の輪郭の２つの平行な側部のうちのそれぞれの大きいほうの側部は、物品の流れに関して、ダイナミックスケールの入口側に配置された横方向縁部を形成している。第３のステーション３は、物品の流れに関して下流に、すなわち搬送経路においてダイナミックスケール（ＤＳ）の後に配置されている。例えば、フランキングシステムにおいて、第１のステーション１は、個別化された平坦な物品を自動的に供給するための個別化ステーション（FEEDER）であり、第３のステーション３は、フランキングマシン（FM）である。ステーション１および２は、少なくとも１つの搬送ベルト２５１およびフリーホイール（図示せず）を備える搬送装置を有する。少なくとも１つの搬送ベルト２５１は、平坦な物品を案内壁２５４へ鋭角に導く。カラー（斜線で示されている）は、案内壁２５４の上縁から外縁まで上方へ曲げられている。計量プレート２５の外縁２５４３は、少なくとも１つの搬送ベルト２５１の長手方向縁部に対して平行に配置されている。
【００２６】
搬送速度は、搬送方向ｘでステーションごとに高められるまたは少なくとも等しく高い。したがって、フリーホイールにより、各ステーションは、前に配置されたステーションから平坦な物品Ｇを引き出し、これをさらに搬送するための位置にある。
【００２７】
図２は、寝かせた状態で配置された平坦な物品のためのダイナミックスケール２を右前上方から見た斜視図を示している。上側ハウジングシェル２２は、ヒンジ式に取り付けられた透明なフード２２１が取り付けられており、下側ハウジングシェル２３上に配置されている。下側ハウジングシェル２３は、２つの側壁２３１，２３３と、後側ハウジング壁２３２と、前壁２３４とを有する。供給デッキ２４は、物品の流れに関して、入口側および出口側において下側ハウジングシェル２３に取り付けられている。供給デッキ２４は、物品の流れに関して出口側で、ｙ方向で整列壁２１によって境界を定められている。
【００２８】
供給デッキ２４は、物品の流れに関して入口側における第１のサブセクションＩと、物品の流れに関して出口側における第４のサブセクションＩＶとから成り、第１および第４のサブセクションは、第２のセクションＩＩおよび第３のセクションＩＩＩによって互いに分離されており、計量プレート２５は第２のセクションＩＩに配置されており、計量プレートに取り付けられた、幅センサのためのカバー２５５は、第３のセクションＩＩＩに配置されている。第３のセクションＩＩＩにおいて、少なくとも１つの第１の窓開口２５５１が、幅センサのカバー２５５に設けられており、第１の窓開口２５５１は、ｙ方向に延びており、計量プレート２５の案内壁２５４（図３）から最も遠い距離において計量プレート２５に配置された第３の搬送ベルト２５３の搬送領域と向き合って始まっている。前記供給デッキ２４１，２４２の、物品の流れに関して入口側におけるサブセクションＩと、物品の流れに関して出口側におけるサブセクションＩＶとは、フロアプレート２９０（図３）の上方のほぼ同じ高さに配置されている。整列壁２０（図示せず）は、供給デッキの第１のサブセクションＩのｙ方向の境界を定めており、整列壁２１は、供給デッキの第４のサブセクションＩＶのｙ方向の境界を定めている。物品の流れに関して入口側における整列壁２０は、物品の流れに関して出口側における整列壁２１よりも、接線ｔから幾らかより小さな距離に配置されている。前記供給デッキ２４の、物品の流れに関して入口側における第１のサブセクションＩと、物品の流れに関して出口側における第４のサブセクションＩＶと、幅センサのためのカバー２５５とは、複数のセンサのための付加的な窓開口をも有する。図２の説明において上側ハウジングシェル２２によって被覆されたこれらのセンサは、以下で図３を用いて説明される。
【００２９】
図３は、ハウジングを省略したダイナミックスケールの平面図である。上側ハウジングシェルは取り外されており、下側ハウジングシェル２３（図２）のうち、後側ハウジング壁２３２の１つの位置および平坦な物品のための２つの整列壁２０，２１の一部のみが示されている。ダイナミックスケールは、平坦なフロアプレート２９０を備えるシャーシ２９と、シャーシ２９に取り付けられた金属アングルプレート２９１とを有しており、シート壁２９２は、金属アングルプレート２９１から上方へ、すなわちｚ方向へ曲げられている。ダイナミックスケールの下側ハウジングシェル２３の後壁２３２の１つの位置は、デカルト座標系のｙ方向で、角度づけられたシート壁２９２から、最大シート壁距離Ａ＝２〜４ｃｍのところに配置されている。この位置に、搬送方向ｘに対して平行に延びる仮想接線ｔを配置することが考えられる。角度づけられたシート壁２９２は、下側シェルの後側ハウジング壁２３２の前記位置に隣接して配置されており、接線に対して平行に位置している。メインボード２９５の回路板は、角度づけられたシート壁２９２の前側に解放可能に取り付けられている。回路板は、電源アダプタ２９４から給電される制御ユニットを支持している。電源アダプタ２９４への電源接続のための電源プラグソケット２９３は、後側ハウジング壁における開口（図示せず）を通じて外部からアクセス可能である。Ｕ字形に湾曲させられた、第１のセンサＳ１のための保持プレート２９６は、物品の流れに関してダイナミックスケールの入口側と、金属アングルプレート２９１と計量プレート２５との間のスケールの後側領域とにおいて、フロアプレート２９０に取り付けられている。案内壁２５４は、その高さが、すなわちｚ方向で制限されている。カラーは、案内壁２５４の上縁２５４１（図１０）からｙ方向で上方へ曲げられている。カラー２５４２は、ｙ方向に拡張させられており、計量プレート２５の外側直線縁部２５４３において終わっており、縁部２５４３は、搬送方向ｘに対して平行に延びていない。案内壁２５４の近くの計量プレート２５のカラーの外縁２５４３における、物品の流れに関して入口側の角は、仮想接線ｔから最大縁部距離Ｂに配置されている。案内壁２５４は、計量される平坦な物品の長手方向縁部をその搬送中に案内するように機能する。後側ハウジング壁２３２は僅かに外方へ湾曲させられており、計量プレートの案内壁２５４は直線に形成されている。仮想接線ｔが、ｙ方向で最も遠い距離の後側ハウジング壁２３２の位置に配置されていると仮定すると、計量プレートの案内壁２５４は、接線ｔに対して鋭角で、約０．１°〜１．５°の角度で左側端部（すなわち物品の流れに関して下流の端部）から右側端部へ、すなわち物品の流れに関して上流の、ダイナミックスケールの始まりの方向へ移動する。物品の流れに関して入口側の供給デッキ２４の第１のサブセクション（Ｉ，図２）の境界は、ｙ方向では、物品の流れに関して入口側の整列壁２０によって定められている。物品の流れに関して出口側の供給デッキ２４の第４のサブセクション（ＩＶ，図２）の境界は、ｙ方向では、物品の流れに関して出口側の整列壁２１によって定められている。整列壁２０は、物品の��れに関して入口側において、仮想接線ｔから距離Ｃに配置されており、整列壁２１は、物品の流れに関して出口側において、仮想接線ｔから距離Ｄに配置されており、Ａ＜Ｂ＜Ｃ≦Ｄである。
【００３０】
計量プレートの下側（図示せず）は、フレームに載置して取り付けられて配置されており、フレームは、計量セルの負荷導入箇所（図示せず）に取り付けられており、計量セルは平坦なフロアプレート（図４）に取り付けられている。ダイナミックスケールの制御方法が開始され、第１のモータ（図示せず）が作動させられるとすぐに、計量される平坦な物品は、第１の搬送速度で、計量プレート２５を横切って、少なくとも１つの搬送ベルト２５１，２５２，２５３によって、搬送方向ｘに対して鋭角で移動させられる。少なくとも１つの搬送ベルト２５１，２５２，２５３の第１の逸らせローラ２５１１，２５２１，２５３１の駆動軸２５０１（図４）および第２の逸らせローラ２５１２，２５２２，２５３２の被駆動軸２５０２（図４）は、ｙ方向に対して０．１°〜１．５°の鋭角で配置されている。その結果、少なくとも１つの搬送ベルト２５１，２５２，２５３は、次のように計量プレート２５上に配置される。すなわち、物品の流れに関して入口側において、計量プレートの案内壁２５４からのｙ方向の第１の搬送ベルトの距離が、前記計量プレート２５において生じ、この第１の搬送ベルトの距離は、搬送方向ｘに対して平行に位置をずらされて測定された第２の搬送ベルトの距離よりも大きい。３つの搬送ベルト２５１，２５２，２５３は、好適には、計量プレート２５上で、互いに平行に、しかしながら案内壁２５４に対しては非平行に配置されている。Ｕ字形に湾曲させられた保持プレート２９６は、フロアプレート２９０にアングルピース２９６１を用いて取り付けられており、これにより、前記アングルピースは、ｚ方向にかつ部分的に搬送方向ｘとは逆に、平坦なフロアプレート２９０を超えて突出している。Ｕ字形に湾曲させられた保持プレート２９６は、ｙ方向とは反対の方向に２つの曲げ部を有しており、それぞれ、２つの曲げ部において、第１のセンサＳ１の受信部または送信部に当接しており、前記第１のセンサＳ１は、メインボードの電気回路と電気的に接続されている。搬送ベルトを駆動するための第１のモータ（図４）は、個別化ステーション１によって前もって積重ねから個別化された第１の手紙の前縁を前記第１のセンサＳ１が検出されるとすぐにメインボードの制御ユニットによって始動させられ、搬送ベルトは、計量プレート２５を横切って移動することができるように配置されている。第１のセンサＳ１は、付加的に、平坦な物品の長さ測定のために使用されてもよい。各搬送ベルト２５１，２５２，２５３のそれぞれの第１の逸らせローラ２５１１，２５２１，２５３１は、計量プレートにおいて物品の流れに関して上流に配置されている。各搬送ベルト２５１，２５２，２５３のそれぞれの第２の逸らせローラ２５１２，２５２２，２５３２は、計量プレートにおいて物品の流れに関して下流に配置されている。第２および第３のセンサは、計量プレートの出口側においてマウンティング２９７に取り付けられている。例えば、センサは、透過光バリヤＬＳ１，ＬＳ２，ＬＳ３として設計されている。第２および第３のセンサＳ２，Ｓ３のマウンティングは、Ｕ字形に湾曲した２つの保持プレートから成り、これらの保持プレートは、平坦なフロアプレート２９０におい��ｙ方向を指す第１の曲げ部（図示せず）が取り付けられたマウンティング２９７に取り付けられている。受信部および送信部の配置は、第１のセンサの配置に対応する。第２の逸らせローラの近くで、マウンティングは、第２のセンサＳ２のためのＵ字形に湾曲した保持プレート２９７２を有しており、排出ローラの領域では、第３のセンサＳ３のためのＵ字形に湾曲した保持プレート２９７３を有する。２つの保持プレート２９７２，２９７３はそれぞれ、ｙ方向とは反対を指す方向に延びる２つの曲げ部を有する。それぞれのヨークはこれらの２つの曲げ部を接続している。これにより、Ｕ字形に湾曲した保持プレート２９７２，２９７３は、搬送方向ｘで間隙を生じながら互いに隣接して配置されており、これらのヨークはシート壁２９２に対して平行である。計量プレート２５は、第１および第２のセンサの間の第１の長さＬ１よりも小さな実効長Ｌｗを有しており、搬送方向ｘで、カバー２５５は、第２および第３のセンサの間の第２の長さＬ２よりも大きな長さＬｘを有し、これは、Ｌ２＜Ｌ１（図４）に当てはまる。デカルト座標系の搬送方向ｘにおける計量プレート２５の実効長Ｌｗは、計量される標準的な、極めて一般的に使用される最も長い物品に、計量結果がまだ判定されていない限りは物品がその移動において計量プレート上へ移動する付加的な測定経路を加えたものによって決定される。計量プレート２５に続く幅センサのためのカバー２５５は、第２のセンサの保持プレート２９７２の下側曲げ部の下方深くに配置されており、前記供給デッキ２４２の上昇したサブセクションＩＶの入口まで角度をなして上昇している。カバー２５５（図２）は、２つの保持プレート２９７２，２９７３の間に窓開口２５５１を有する。排出ローラ２８１およびテイクオフ装置２８の接触圧機構２８２は、ダイナミックスケールの出口に配置されている。テイクオフ装置２８はフロアプレート２９０に取り付けられている。
【００３１】
図４ａには、ダイナミックスケールの搬送ベルトによる平坦な物品の搬送の開始前の第１の作動段階における、ダイナミックスケールの搬送装置の単純化した概略図が前方から見て示されている。作動中、光電バリヤＬＳ１，ＬＳ２，ＬＳ３の光線が、センサの受信部と送信部との間に形成されている。第１の光電バリヤＬＳ１は、搬送方向ｘとは反対に、第１の逸らせローラの駆動軸２５０１の前に、第１の距離Ｅ＞１／２（Ｌ１−Ｌｗ）＋Ｋに配置されている。第２の光電バリヤＬＳ２は、搬送方向ｘに、第２の逸らせローラの駆動軸２５０２の後に、第２の距離Ｆ＞１／２（Ｌ１−Ｌｗ）＋Ｋに配置されている。駆動軸２５０１，２５０２の軸は、デカルト座標系のｙ方向に対して０．１°〜１．５°の鋭角で配置されており、これにより、平坦な物品は、ダイナミックスケール（図３）の作動中に搬送ベルトによって計量プレート２５の案内壁２５４のより近くへ搬送される。計量プレート２５の駆動軸２５０１および２５０２の間隙は、実効長Ｌｗであり、付加距離Ｋは、付加的な安全間隙である。第１の長さＬ１が光電バリヤＬＳ１およびＬＳ２の間の間隔であり、第２の長さＬ２が光電バリヤＬＳ２およびＬＳ３の間の間隔である。第１の光電バリヤＬＳ１の送信器／受信機モジュールは、計量プレート２５の前で保持プレート２９６に配置されており、メインボード（図３）の制御ユニットが、平坦な物品の前縁による光ビームの中断を早期に検出することを可能にしている。第１の平坦な物品の前縁を検出すると、計量プレート２５に配置された搬送装置の搬送ベルトの駆動が制御ユニットによって開始される。さらに、電子回路は、各光電バリヤと電気的に接続されており、この電子回路は、例えば、光センサにおける外部光の影響に対する高められた安全性を達成するために、メインボードに配置され、設けられている。第２のセンサも、光電バリヤＬＳ２として形成されており、計量プレートの出口において手紙の前縁を検出するために機能する。第２の光電バリヤＬＳ２の送信器／受信機構成部材は、計量プレート２５の搬送ベルトの逸らせローラの直後において、搬送経路における保持プレート２９７２に配置されている。
【００３２】
第３のセンサも同様に、光電バリヤＬＳ３として形成されており、計量プレートの端部において手紙の前縁を検出するために機能する。第３の光電バリヤＬＳ３の送信器／受信機構成部材は、排出ローラ２８１の直前において、搬送経路における保持プレート２９７３に配置されている。第３のセンサは、排出ローラ２８１の軸の近くに配置されており、少なくとも１つの接触圧フィンガを有する接触圧機構２８２と共に、ダイナミックスケールの出口に配置されている。
【００３３】
第１のモータ２５６は、計量プレート２５の下方のフレーム２５７の区画に配置されており（その形式は図示されていない）、ベルトパワートレイン（図示せず）を介して各搬送ベルトのそれぞれの第１の逸らせローラに作用し、前記逸らせローラは、計量プレートにおいて、物品の流れに関して入口側に配置されている。第１のモータは、歯付ベルトを介して付加的な歯付プーリホイールを駆動する歯付駆動ベルトローラと確実に結合されたモータ軸を有する（その形式は図示されていない）。これらの駆動手段は、多数の被駆動搬送ベルトのための共通の駆動装置を形成している。付加的な歯付プーリは、第１の変速段としての小さな歯車と共に形成されており（その形式は図示されていない）、付加的な固定軸において回転可能であるように取り付けられている。フレーム２５７は計量セル２７に取り付けられている。計量セル２７は、シャーシのフロアプレート２９０に配置されている。第２のモータ２８３は、テイクオフ装置に配置されており、歯付ベルトおよび歯付プーリパワートレインを介して、排出ローラ２８１の軸を駆動する（その形式は図示されていない）。幅センサのカバー２５５は、計量プレートのフレーム２５７の下方の平行な平面に配置されており、搬送方向で、平坦なフロアプレート２９０に対して、計量プレートの出口側縁部に関して、好適には、搬送される長い平坦な物品（例えば、Ｂ４フォーマットの物品）が第２のサブセクションＩＩから出るときに供給デッキの第３のサブセクションＩＩＩと接触しないような傾斜で、徐々に上方へ上昇している。
【００３４】
図４ａの単純化した図では、モジュールは省略されている。
【００３５】
計量される平坦物品の厚さ測定のための第１のモジュールは、ダイナミックスケールの計量プレート上に、搬送経路の始めに配置されている（図１０および図１１参照）。厚さセンサとして、第１のモジュールは、搬送方向ｘにおいて第１の光電バリヤＬＳ１に続いて搬送経路に配置されたフォーク状の光電バリヤを有する。
【００３６】
第２のモジュールは、平坦な物品の幅測定のために設けられており、例えば、対象となるそれぞれのフォーマット境界への測定位置の調節のためのスピンドルを有する。様々な異なるフォーマット（判型）が様々な国において使用されているので、このことが必要である。第２のモジュールは、反射光バリヤを有しており、光反射面がハウジング部に取り付けられている。
【００３７】
図４ｂは、択一的にフロアプレート２９０＊に取り付けられた幅センサのための択一的なカバー２５５＊を有するダイナミックスケールの搬送装置の単純化した概略図を示している。
【００３８】
図５は、ダイナミックスケールのテイクオフ装置を右前上方から見た斜視図を示している。排出ローラ２８１および少なくとも１つの接触圧フィンガ２８２が、ダイナミックスケールの出口において、マウンティング２９７に配置されている。マウンティング２９７は、フロアプレート２９０に取り付けられたベースプレート２９７０を有する。ベースプレート２９７０がフロアプレートに直接に取り付けられている以外に、ベースプレート２９７０はｙ方向に延びており、ベースプレート２９７０は、ｚ方向において２つの曲げ部２９７４，２９７５も有している。排出ローラ２８１は、滑り軸受２８１１，２８１２に支持された駆動軸２８０に確実に取り付けられており、駆動軸２８０は、ｙ方向に対して平行にまたは０．１°，１．５°の鋭角で配置されている。排出ローラ２８１は、外側半径ＲＡ＞＞ＲＵ＞Ｒｗを有しており、ＲＵは搬送ベルトのための逸らせローラの半径である。排出ローラ２８１の半径ＲＡから排出ローラ２８１の駆動軸２８０の半径Ｒｗを引いた長さが、第３のセンサＳ３のためのＵ字形の保持プレート２９７３の配置を可能にする排出ローラの前側において、物品の流れに関して上流に配置された領域を規定する。滑り軸受２８１１，２８１２は、Ｕ字形マウンティング２９７の開口２９７４０，２９７５０に取り付けられており、ｚ方向に延びる２つの曲げ部２９７４，２９７５は、滑り軸受の取付けのために設けられた側部を形成し、これにより、排出ローラ２８１の取付けのためのマウンティング２９７はｚ方向に開放している。マウンティング２９７は、ダイナミックスケールからの計量された平坦な物品を保持しかつ排出するためのテイクオフ装置２８を支持している。このテイクオフ装置は、排出ローラ２８１と、ばね付勢されかつ軸を中心に回転可能な、少なくとも１つの接触圧フィンガ２８２１，２８２２または複数の接触圧フィンガとの配列から成る。前記接触圧フィンガは、計量された平坦な物品を自動的に挟み、物品が計量プレートから出るときにこの物品が排出ローラに対して押し付けられる。取り付けられた駆動軸２８０は、Ｕ字形の湾曲したマウンティング２９７の曲げ部２９７５の開口２９７５０からｙ方向に突出しており、歯付駆動ベルト２８４のための歯付プーリ２８３を支持している。
【００３９】
これにより、曲げ部２９７５は、ｚ方向へより高く延びており、曲げ部２９７４よりも後側ハウジング壁２３２の近くに配置されている。固定の回転軸２９８０のためのＵ字形の湾曲した保持プレート２９８は、排出ローラ２８１の上方の所定の距離に配置されており、固定の回転軸２９８０は、ｙ方向に対して平行または０．１°〜１．５°の鋭角で配置されており、２つの狭い接触圧フィンガ２８２１，２８２２またはより大きな幅を有する少なくとも１つの接触圧フィンガ２８２を支持しており、接触圧フィンガには板ばね２９８１によって弾性力が付与されている。
【００４０】
接触圧フィンガ２８２１，２８２２は、厚い平坦な物品に対して付加的な接触圧を生ぜしめるために、板ばね２９８１と能動的に連結するように設計されていてもよい。例えば、接触圧フィンガは、それぞれ、湾曲したＺ字形を有する、互いに離間させられた２つの側壁から成る。それぞれの取り付けられた接触圧フィンガは、ｚ方向に、少なくとも１つの膨らみを有しており、各Ｚ字形の湾曲した接触圧フィンガの第１の方向変化が与えられている。膨らみは、接触圧フィンガの回転軸２９８０の近くに配置されており、板ばね２９８１のそれぞれの自由ばね端部の真向かいにある。膨らみは、接触圧フィンガの一方または両方の側壁において同様にまたは異なって実現されていてもよい。接触圧力は、取り付けられた板ばね２９８１の自由ばね端部のたわみによって方向付けられ、最大の膨らみのところで最も大きくなる。
【００４１】
回転可能なばね負荷された各接触圧フィンガの自由端部には、接触圧フィンガの２つの側壁の間に、駆動されないローラ２８２１１，２８２２１が配置されており、平坦な物品はローラ２８２１１，２８２２１と排出ローラ２８１との間に挟まれ、さらに搬送される。
【００４２】
駆動されないローラの代わりに、駆動される排出ローラ２８１と向かい合って配置された、同様に駆動されるコンベヤベルトをそれぞれ使用してもよい。
【００４３】
図６は、第１の光電バリヤＬＳ１が第１の平坦な物品Ｇ１の後縁を検出したときの、ダイナミックスケールの計量セルによる第１の平坦な物品Ｇ１の計量の開始時の第２の段階における、ダイナミックスケールの搬送装置を前方から見た単純化した概略図を示している。
【００４４】
図７は、ダイナミックスケールの計量セルによる第１の平坦な物品Ｇ１の計量の終了時の第３の段階におけるまたは平坦な物品、例えば標準的な手紙（ＵＳ１０またはＤＩＮ  Ｃ６長さ）が計量プレートにおいて出口のダイナミックスケールのより高い領域へ搬送されているときの、搬送装置を前方から見た単純化された概略図を示している。通常の場合、重量測定は、第２の光電バリヤＬＳ２に達する前に完了する。
【００４５】
第２の光電バリヤＬＳ２による第１の平坦な物品Ｇ１（標準的な手紙）の前縁の検出時に有効な重量測定結果が存在するかどうかのチェックを開始するために、制御装置が設けられている。有効な重量測定結果が存在しない場合、標準的な手紙は、より低速でダイナミックスケールの出口へさらに搬送される。第３の光電バリヤＬＳ３は、第１の平坦な物品Ｇ１（標準的な手紙）の前縁が第３の光電バリヤＬＳ３に達したかどうかを判定するように機能する。このときに、重量測定の終了が開始される、即ち終了される。もしくは、チェックが、有効な重量測定結果が存在することを示した場合、次の平坦な物品がダイナミックスケールの入口へ供給される（図８）。
【００４６】
図８は、次の平坦な物品Ｇ２がダイナミックスケールへ供給されているときの、ダイナミックスケールの計量セルによる計量の終了後の第１の平坦な物品Ｇ１の排出前の第４の段階における搬送装置を前方から見た単純化した概略図を示している。
【００４７】
図９は、ダイナミックスケールからの計量された第１の平坦な物品Ｇ１の排出時の第５の段階における搬送装置を前方から見た単純化した概略図を示している。この図は、第２の平坦な物品Ｇ２の重量測定が開始され、かつ既に計量された第１の平坦な物品Ｇ１が排出ローラによってスケールから搬出された状態で示されており、ひいては、第２の平坦な物品Ｇ２の重量測定はこれによって影響されない。
【００４８】
図１０には、ダイナミックスケールによって計量される平坦な物品の厚さ測定のための第１のモジュール３０が、前方から見た斜視図で示されている。厚さ測定は、ブレーキレバー３０１によって行われる。ブレーキレバー３０１は、第１の物品によって、物品の厚さに対応して持ち上げられてもよく、これにより、機械的抵抗を克服しなければならない。物品厚さ（手紙厚さ）が小さくなると抵抗は極めて小さく、回転可能にローラ３０２が取り付けられているレバー端部には主に重力が作用する。搬送ベルトへのローラ３０２の接触の直前に、加わる衝撃を減じるために抵抗が再び高められ、これにより、場合によっては重量測定信号におけるショックパルスを減衰させる。例えば、このために、薄いゴムタイヤをローラ３０２に取り付けてもよい。ダッシュフィルム３０３は、レバー３０１の移動に伴って光センサ３０４を通過させられる。ダッシュの数がこれにより計測され、手紙の厚さが、既知の換算係数を用いて計算される。レバー３０１は、２つの平坦な物品（手紙）の間で下降させられ、図１０に示された位置は、“０”の手紙厚さに関連している。さらに、ダッシュフィルムの移動方向が、光センサを用いてダイナミックスケールの制御ユニットによって検出されてもよい。
【００４９】
第１のモータ２５６は、フレーム２５７において計量プレート２５の下方に配置されており、２段パワートレインを介して、その駆動に関して、搬送装置の第１の逸らせローラ２５１１（２５２１，２５３１）の駆動軸２５０１と接続されている（図３）。パワートレインがモータトルクを増大させ、モータ回転速度が低下させられる。エンコーダホイール２５９は第１のモータ２５６のモータ軸２５６０に取り付けられている。エンコーダ２６はエンコーダホイールに配置されており、ダイナミックスケールの制御ユニットに電気的に接続されている。第１のモータ２５６は、ダイナミックスケールの制御ユニットにも電気的に接続されており、これにより、モータ回転速度は、所定の公称値に対応して調整される。パワートレインは、大きな直径および小さな直径を有する２つのそれぞれの歯付プーリを有する。例えば、クラウンギヤ縁部において、大きな外径はｄ１＝２．５ｃｍであり、小さな外径はｄ２＝１．８ｃｍである。より小さな直径を有する歯付プーリ２５０６は、２５個の歯を有しており、第１のモータ２５６のモータ軸２５６０に取り付けられている。大きな直径を有する歯付プーリ２５１０は、３６個の歯を有している。歯付プーリ２５１０と、より小さな直径を有する複数の第１の逸らせローラ２５１１（２５２１，２５３１）は、駆動軸２５０１に確実にまたは不確実に取り付けられている（図３）。第１の歯付駆動ベルト２５０５を介して、歯付プーリ２５０６は、大きな直径を有する歯付プーリ２５０７を駆動する。第２の歯付駆動ベルト２５０９は、歯付プーリ２５１０上を走行し、図１０における歯付プーリ２５０７（より大きな直径）と重なっているより小さな直径を有する歯付プーリ２５０８（点線で示されている）によって駆動される。両歯付プーリ２５０７，２５０８は、回転軸２５０４を介して機械的に接続されており、パワートレインの構成部材である。回転軸２５０４は、それぞれの開口２５７１０（２５７２０）において、手紙の流れに関して入口側に取り付けられた滑り軸受２５８１（２５８２）において両側で支持されている。
【００５０】
ダッシュフィルム３０３のための光センサ３０４は、アングルプレート３０６にボルト留めされたセンサ保持プレート３０５に取り付けられている。アングルプレート３０６は、物品の流れに関して入口側に位置する計量プレート２５の角の近くで、案内壁２５４のカラー２５４２（図３）の外縁２５４３に取り付けられており、前記角は、接線ｔから最大縁部距離Ｂを有している（図３）。これにより、第１のモジュール３０のマウンティングは、搬送装置の搬送ベルトの縁部と同じ角度を有する。したがって、ローラ３０２の軸３００および固定軸３０７は、互いに平行に配置されている。
【００５１】
アングルプレート３０６は、Ｕ字形に重力の方向（すなわちｚ方向とは反対）に曲げられており、アングルプレート３０６が取り付けられた計量プレートの縁部２５４３を超えて突出している。アングルプレート３０６の曲げ部３０６１（３０６２）は、それぞれ、固定軸３０７のための円形の開口３０６１０（３０６２０）を有する。固定軸３０７は、一方の端部においてレバー３０１およびレッグスプリング３０８を支持している。レッグスプリング３０８は、ローラ３０２と搬送ベルト２５１との間に平坦な物品が到着していない限り、他方のレバー端部におけるローラ３０２を搬送ベルト２５１に対して押し付ける。
【００５２】
図１１には、ダイナミックスケールによって計量される平坦な物品の厚さ測定の段階における第１のモジュールの細部を前方から見た斜視図が示されている。レバー３０１のレバー端部の移動が物品Ｇ１の厚さに対応して行われ、これにより、ダッシュフィルム３０３が移動させられる。この段階は、第１の作動段階１（図４）と第２の作動段階２（図６）との間である。
【００５３】
図１２は、ダイナミックスケールの制御方法のための単純化した概略的なワークフロープラン１００を示しており、以下のステップを含む。
ａ）長さ測定を制御ユニットによって開始し、これに続いて、計量プレートに配置された搬送装置の搬送ベルトの駆動を、第１の搬送速度Ｖ１で開始し、第１の光電バリヤＬＳ１が第１の平坦な物品Ｇ１の前縁を検出した後、計数プロセスの開始および駆動中のエンコーダパルスの計数を行い（ブロック１０１〜１０４）、その後、平坦な物品が搬送経路（Ｔ）の経路セグメントに沿って搬送されている限り、計量プレートの入口における第１の光電バリヤＬＳ１が第１の平坦な物品Ｇ１の後縁を検出するまで（ブロック１０７）、厚さ測定（ブロック１０５）を開始して行い、経路セグメントの間に長さ測定を終了する（ブロック１０６）。
ｂ）第２の光電バリヤＬＳ２が計量プレートの出口において第１の平坦な物品Ｇ１の前縁を検出するまで（ブロック１０９）、ダイナミック計量プロセスを開始させ（ブロック１０８）、厚さ測定を終了する（ブロック１１０）。
ｃ）有効な重量測定結果が存在するかどうかをチェックする（ブロック１１１）。
ｄ）第１の平坦な物品Ｇ１の重量を判定し、有効な重量測定結果が存在するならば、第１の平坦な物品Ｇ１を第１の搬送速度Ｖ１で搬送方向ｘへダイナミックスケールの出口までさらに搬送する（ブロック１１２）。
ｅ）計量プロセスが終了していない場合に第１の平坦な物品Ｇ１の重量を判定し、第１の平坦な物品Ｇ１を第２の搬送速度Ｖ２で搬送方向ｘへダイナミックスケールの出口までさらに搬送し、第２の搬送速度Ｖ２は第１の搬送速度Ｖ１よりも遅い（ブロック１１３）。
ｆ）平坦な物品の幅測定を行う（ブロック１１４）。
ｇ）ダイナミックスケールのテイクオフ装置の入口における第３の光電バリヤＬＳ３が第１の平坦な物品Ｇ１の前縁を検出し（ブロック１１５）、チェックが、有効な重量測定結果が存在しないことを示した場合（ブロック１１６）、ダイナミック計量プロセス中に重量測定を終了させる（ブロック１２０）。
ｈ）チェックが、有効な重量測定結果が存在することを示した場合、ダイナミックスケールの入口に次の平坦な物品Ｇ２を供給する（ブロック１１７）。
ｉ）計量ユニットをさらに制御し、第２のモータを第３の搬送速度で搬送方向ｘに作動させ、モータは、テイクオフ装置において平坦な物品Ｇ１を排出するために配置された排出ローラを駆動し、第３の搬送速度Ｖ３は第１の搬送速度Ｖ１よりも速い（ブロック１１８）。
ｋ）ストップコマンドが与えられない場合は、最初に戻り（ｗ）、ルーチン（１００）を繰り返す（ブロック１１９）。
【００５４】
平坦な物品の長さを判定するための技術的な方法は、ダイナミックスケールの制御方法の前に行われてもよく、少なくとも以下の方法ステップを含む。
ｊ）外部光電バリヤＥＬＳが第１の平坦な物品Ｇ１の後縁を検出した場合、第１のステーションの駆動モータのエンコーダパルスの計数プロセスを開始する。
ｊｊ）第２のステーションの第１の内部センサが平坦な物品の前縁を第２のステーションの制御ユニットのマイクロプロセッサに報告すると、エンコーダパルスを計数するプロセスを終了する。
ｊｊｊ）第２のステーションの制御ユニットのマイクロプロセッサを介して平坦な物品の長さを判定する。
【００５５】
例えば、自動個別化および供給ステーションが第１のステーションとして予定され、ダイナミックスケールが第２のステーションとして予定されている。コンピュータプログラムがダイナミックスケールの制御ユニットのための対応するデータ処理を可能にする。ダイナミックスケールのセンサ信号およびエンコーダ信号がダイナミックスケールの制御ユニットによって問合せされ、これは、ダイナミックスケールの制御方法における単純化された形式で示されたものである。さらに、コンピュータ読取可能な記憶媒体が提供され、この記憶媒体にはプログラムコードが記憶されており、プログラムコードは、制御ユニットの記憶手段にロードされた後、制御ユニットが、所定の入力順にダイナミックスケールを制御するための少なくとも１つの方法を実行することを可能にする。
【００５６】
平坦な物品の搬送および処理中の全ての３つの寸法（長さ、幅および厚さ）の寸法測定も、有利には可能である。第１のセンサＳ１は、平坦な物品の長さを判定するための手段の構成部材であり、この手段の構成部材は、（ステーション２において）ダイナミックスケール内に配置されており、前記手段の少なくとも１つの付加的な構成部材は、（ステーション１において）ダイナミックスケールの外側に設けられている。
【００５７】
少なくとも１つの付加的な構成部材は、暗い状態から明るい状態への光強度の変化を検出するセンサを有し、このセンサから、制御ユニットのマイクロプロセッサは、例えば、光強度のこの変化について外部センサからマイクロプロセッサに信号が送られると、平坦な物品の後縁を判定する。これにより、外部センサが平坦な物品の後縁をマイクロプロセッサに知らせると、エンコーダパルスの計数プロセスが開始し、この計数プロセスは、第１の内部センサが平坦な物品の前縁を制御ユニットのマイクロプロセッサに知らせると終了する。外部センサと第１の内部センサとの間の既知の距離により、ダイナミックスケールの制御ユニットのマイクロプロセッサは、平坦な物品の長さを判定し得る。
【００５８】
付加的な典型的な実施の形態（詳細には説明されていない）では、搬送経路においてダイナミックスケールの前にステーションが配置されている。このステーションは、センサを有する。このセンサは、平坦な物品の前縁および／または後縁が長さセンサに到達して、去ると、長さ測定のための信号を出力する。ダイナミックスケールの制御ユニットは、前のステーションの長さセンサとのインタフェースを介して、ダイナミックスケールの第１のセンサおよび第１のエンコーダと電気的に接続されており、また、ダイナミックスケールの前のステーションの駆動モータのエンコーダと電気的に接続されており、これにより、エンコーダ信号と、外部センサ長さ測定の信号とを評価し、また、ダイナミックスケールの第１のセンサの信号を評価し、ダイナミックスケールに供給される平坦な物品の長さを判定する。平坦な物品の長さを判定するための手段は、これにより、この場合にもまた、ダイナミックスケールの第１のセンサおよびその制御ユニットを有する。
【００５９】
択一的に、長さ判定の結果がその後にダイナミックスケールに伝送されると、第１のステーション１の制御ユニットのマイクロプロセッサが平坦な物品の長さを判定してもよく、ダイナミックスケールの第１のセンサも長さの判定に関与させられる。第１のセンサにより、この典型的な実施の形態では、長さの判定は部分的にダイナミックスケール内でも行われる。
【００６０】
好適な第１の実施の形態の態様によれば、幅および厚さの寸法測定は、部分的にのみダイナミックスケール内に配置された、平坦な物品の長さを判定するための前記手段とは対照的に、１つのモジュール（図１０）と、幅センサＬＳＢ＊（図４ｂ）を有しかつ完全にダイナミックスケール内にある付加的なモジュールとによって行われる。
【００６１】
択一的に、別の実施の形態の態様では、平坦な物品の全ての３つの寸法の判定は、完全にダイナミックスケール内で行われてもよく、この場合、第１のセンサは、平坦な物品の前縁および後縁を検出し、平坦な物品の前縁および後縁の判定の間に生じるエンコーダパルスが計数される。
【００６２】
特定の実施の形態、すなわち好適には第１の態様によるダイナミックスケールがこの例において詳細に説明されているが、発明の同じ基本概念であると仮定するならば、付加的な態様による異なる実施の形態が使用されてもよく、これは、添付した保護的な請求項によって包含されているが、これにより、保護範囲から排除されるべきではない。
【図１】
2018080055.tif 000003
【図２】
2018080055.tif 000004
【図３】
2018080055.tif 000005
【図４ａ】
2018080055.tif 000006
【図４ｂ】
2018080055.tif 000007
【図５】
2018080055.tif 000008
【図６】
2018080055.tif 000009
【図７】
2018080055.tif 000010
【図８】
2018080055.tif 000011
【図９】
2018080055.tif 000012
【図１０】
2018080055.tif 000013
【図１１】
2018080055.tif 000014
【図１２】
2018080055.tif 000015
【外国語明細書】
2018080055.tif 000016
2018080055.tif 000017
2018080055.tif 000018
2018080055.tif 000019
2018080055.tif 000020
2018080055.tif 000021
2018080055.tif 000022
2018080055.tif 000023
2018080055.tif 000024
2018080055.tif 000025
2018080055.tif 000026
2018080055.tif 000027
2018080055.tif 000028
2018080055.tif 000029
2018080055.tif 000030
2018080055.tif 000031
2018080055.tif 000032
2018080055.tif 000033
2018080055.tif 000034
2018080055.tif 000035
2018080055.tif 000036
2018080055.tif 000037
2018080055.tif 000038
2018080055.tif 000039
2018080055.tif 000040
2018080055.tif 000041
2018080055.tif 000042
2018080055.tif 000043
2018080055.tif 000044
2018080055.tif 000045
2018080055.tif 000046
2018080055.tif 000047
2018080055.tif 000048
2018080055.tif 000049
2018080055.tif 000050
2018080055.tif 000051
2018080055.tif 000052
2018080055.tif 000053